(57)【特許請求の範囲】
【請求項１】
固定磁石集成体を内包して回転する現像ローラ上に二成分現像剤を担持させながら現像位置に対面配置した像坦持体に現像を行うと共に、現像ローラの現像位置より回転方向上流側に対面して配した層厚規制部材に内包した回動可能なマグネットの離間接近により前記層厚規制位置への磁気シールドと解除を行うようにした電子写真用現像方法において、
前記固定磁石集成体の、前記層厚規制部材の最近接位置を挟んだ位置に現像ローラ回転方向に沿って第２の磁極と第１の磁極を配設し、前記層厚規制部材に内包したマグネットを現像ローラの最近接位置付近に回動させて、該マグネットから固定磁石集成体の第２極への拘束磁界を、又、前記マグネットと固定磁石集成体の第１極との間で反発磁界を発生させて、前記固定磁石集成体の第２極と第１極間の磁力線を遮断する磁気シールド位置を設定し、
像担持体への現像終了後、前記層厚規制部材に内包したマグネットを前記磁気シールド位置に回動したのち適時サイクル毎に現像ローラを数回回転させ、現像ローラの層厚規制位置より上流側に堆積した現像剤で現像ローラを摺擦してから回転停止することを特徴とする電子写真用現像方法。
【請求項２】
前記適時サイクルが、特定現像回数毎であることを特徴とする請求項１に記載した電子写真用現像方法。
【請求項３】
前記適時サイクルが、画像濃度が特定濃度になったときであることを特徴とする請求項１に記載した電子写真用現像方法。
【請求項４】
現像ギャップを挟んで像担持体に対面配置し、内包した固定磁石集成体の磁気力を利用して現像位置に現像剤搬送を行う現像ローラと、該現像ローラを回転駆動する現像ローラ駆動部と、前記現像ローラの回転方向上流側に対面して配した層厚規制部材と、該層厚規制部材に内包し、前記層厚規制位置への磁気シールドと解除をおこなうマグネットとを持つ電子写真用現像装置において、
前記固定磁石集成体の、前記層厚規制部材の最近接位置を挟んだ位置に現像ローラ回転方向に沿って第２の磁極と第１の磁極を配設し、前記層厚規制部材に内包したマグネットを現像ローラの最近接位置付近に回動させて、該マグネットから固定磁石集成体の第２極への拘束磁界を、又、前記マグネットと固定磁石集成体の第１極との間で反発磁界を発生させて、前記固定磁石集成体の第２極と第１極間の磁力線を遮断する磁気シールド位置を設定し
像担持体への現像終了後、前記層厚規制部材に内包したマグネットを前記磁気シールド位置に回動したのち適時サイクル毎に現像ローラを数回回転させ、現像ローラの層厚規制位置より上流側に堆積した現像剤で現像ローラを摺擦してから回転停止するよう現像ローラ駆動部を制御する制御部を備えたことを特徴とする電子写真用現像装置。
【請求項５】
現像回数計数部を備え、前記適時サイクルが、現像回数計数部の計数した特定現像回数毎であることを特徴とする請求項４に記載した電子写真用現像装置。
【請求項６】
手動または自動で画像濃度を検出する画像濃度検出部を備え、前記適時サイクルが、画像濃度検出部で特定濃度を検出した時であることを特徴とする請求項４に記載した電子写真用現像装置。
【発明の詳細な説明】
【０００１】
【発明の属する技術分野】
本発明は、像担持体周辺に複数の現像ユニットを対面配置し、各現像ユニットにおける現像、停止を、時間差を持たせて行なって選択的に現像を実施するようにしたカラー電子写真装置などにおける現像方法及び装置に関し、更に詳しくは固定磁石集成体を内部に有した現像ローラの現像位置より上流側にマグネットを内包した層厚規制部材を配し、マグネットの離間接近により現像ローラへの磁気シールドと解除を行うように構成した現像ユニットにおける現像ローラの磁気シールド後の摺擦動作に関するものである。
【０００２】
【従来の技術】
カラー電子写真装置においては、複数の色の現像剤が混ざり合わないようにしながら順次各色の現像を行う必要があるため、複数の現像ユニットを用意し、この現像ユニットを順次切り替えて各色の現像を行うようにしている。この現像ユニットの切り替え方法としては、例えば特開平８−１７１２６９号公報に示された装置のように、複数の現像ユニットをリボルバ機構などにより回転可能に構成し、所望の現像ユニットを現像位置に移動させて現像をおこなわせるもの、特開昭５９−６０４５３号公報や特開平６−２４２６６６号公報、及び特開平１１−２４９４２４号公報に示されているように、像担持体のまわりに複数の現像ユニットを配し、それを順次切り替えるようにするものなどが提案されている。
【０００３】
しかしながら、特開平８−１７１２６９号公報に示された装置のように、複数の現像ユニットを回転可能に構成するということは複雑な機構を必要とし、装置の大型化や高価格化を招いたり、現像ユニットが現像位置に来るまで待たねばならないためスピードの高速化を阻む要因となる。
【０００４】
また特開昭５９−６０４５３号公報や特開平６−２４２６６６号公報に示されたものは、現像ローラ上の現像位置より回転方向上流側にゴムブレード等の規制板を接触させ、これによって現像ローラ上への現像剤の供給、停止を行っており、像担持体のまわりに配した現像ユニットを切り替えるだけなので装置の大型化や高価格化を招くことはないが、ブレードに抗して現像ローラを回転させるため、回転トルクが大きくなって省電力化が難しいという問題や、ブレードが現像ローラに圧接しているときに擦り傷が生じ、現像ローラから離間しているときでも現像剤の通過による摩擦が生じるため、ブレードの耐久性の面で問題があった。また、現像剤が現像ローラとブレード間を通過する際、現像剤を傷めて劣化させるという問題もあった。
【０００５】
これに対して特開平１１−２４９４２４号公報に示されたものは、固定磁石集成体を内部に有した現像ローラの現像位置より上流側にマグネットを内包した層厚規制部材を配し、マグネットの離間接近により層厚規制位置への磁気シールドと解除を行って現像ユニットを切り替えるようにしており、装置の大型化や高価格化を招くことがなく、省電力化が可能で、ブレードの耐久性や現像剤の劣化に対する問題も生じない。以下、この特開平１１−２４９４２４号公報に示されたようなカラー電子写真装置の一例と、その現像ユニットについて説明する。
【０００６】
図３は上記したような現像ユニット用いたカラー電子写真装置の断面図、図４は現像ユニットの断面図である。図３において、１は像担持体、２は光走査ユニット、３は帯電器、４から７は現像剤容器を含んだ現像ユニットで、これらの現像ユニットを順次切り替えて各色の現像ができるようになされている。８は記録媒体、９は記録媒体８の搬送装置、１２は中間転写体、１３は２次転写ローラ、１４は定着器で、印刷時は各色毎にまず像担持体１を帯電器３で帯電し、光走査ユニット２で走査した画像を像担持体１上に結像させて潜像となす。そして各現像ユニット４から７で現像し、その画像をさらに中間転写体１２に転写した上で、図示しない給紙カセットから搬送される記録媒体８に２次転写ローラ１３で転写し、定着器１４で加熱・加圧して排紙する。
【０００７】
図４は、現像ユニット４〜７の像担持体１の現像位置近傍で、各現像ユニット４〜７を現像状態と非現像状態に切り替える機構を示す断面図である。図中２１は、取り付け軸２０ａに取り付けた固定磁石集成体２０を内部に持つ現像ローラで、２２は現像ローラ２１の現像位置Ａより回転方向上流側に配置され、中心軸２３ａを中心として回動可能なマグネット２３を内包してなる層厚規制部材である。
【０００８】
このように構成した現像ユニットにおいて、現像を行っている場合はマグネット２３が図４（Ａ）のように固定磁石集成体２０の磁力に影響を与えない位置で停止しており、固定磁石集成体２０の磁力を利用して現像ローラ２１上に担持させた現像剤２４を、層厚規制部材２２の周面と接触させて層厚規制した後、現像ローラ２１の回転による搬送力で現像位置Ａへと運び、像担持体１の潜像を現像する（以下図４（Ａ）の現像ユニットの状態を穂出しと呼ぶ）。なお、現像ローラ２１上の現像剤層厚は、現像ローラ２１と層厚規制部材２２との距離ｄで規制される。
【０００９】
このような現像状態から現像を停止する場合は、図４（Ｂ）のようにマグネット２３を中心軸２３ａで現像ローラ２１の最近接点付近に移動させる。すると、マグネット２３と固定磁石集成体２０の第１極とで形成される反発磁界による磁気シールドで、現像剤２４は、現像ローラ２１上の像担持体１側に行かなくなる（以下図４（Ｂ）の現像ユニットの状態を穂切りと呼ぶ）。
【００１０】
そのため現像ローラ２１上の現像位置Ａ側の現像剤は、現像ローラ２１の回転により現像ユニット４内に回収される。また、マグネット２３のＳ極から固定磁石集成体２０の第２極への吸引磁界が同時に生じており、マグネット２３と現像ローラ２１の最近接位置より内側の現像剤は、この両極の間で拘束される。そしてこのようにシールド磁力と拘束磁力が固定磁石集成体２０の第２極と第１極間の磁力線を遮断するので磁力線が通らず、現像剤は現像ローラ２１上を搬送されることなく図４（Ｃ）の状態で止まる。そのため、現像剤を他の現像ユニットへ混入させることや感光体上のトナー画像を乱すのを防ぐことができる。
【００１１】
【発明が解決しようとする課題】
しかしながら、以上説明してきたような構成の現像ユニットにおいては、磁気シールド直後まで現像ローラ２１の表面上に現像バイアスが印加されており、像担持体１と現像ローラ２１間のトナー回収方向の電界により、現像ローラ２１側にトナーが電気的に付着しやすくなっている。そのため磁気シールド直後（現像ローラ２１での現像剤担持の停止）に現像ローラ２１の回転を停止させる動作を繰り返すと、現像ローラ２１上のトナーの層厚が厚くなって電気的に絶縁され、現像ローラ２１の表面に正規の現像バイアスが印加されないという現象が生じることがある。
【００１２】
ところが逆に、磁気シールドを行った後も現像ローラ２１の回転を継続すると、トナーとキャリアの間にイレギュラーな帯電を発生させたり、現像ローラ２１の回転による摩擦力で、現像剤が漏れてくるといった危険性がある。
【００１３】
上述の事情に鑑み本発明は、固定磁石集成体を内部に有した現像ローラの現像位置より上流側にマグネットを内包した層厚規制部材を配し、マグネットの位置によって層厚規制位置への磁気シールドと解除を行うようにした電子写真用現像方法及び装置において、現像ローラ上のトナーの層厚が厚くなるのを防止し、かつトナーとキャリアの間にイレギュラーな帯電を発生させたり、現像ローラの回転による摩擦力で、現像剤が漏れてくるといったことをも防止する電子写真用現像方法及び装置を提供することが課題である。
【００１４】
【課題を解決するための手段】
上記課題を解決するため請求項１に記載した発明は方法発明であって、
固定磁石集成体を内包して回転する現像ローラ上に二成分現像剤を担持させながら現像位置に対面配置した像坦持体に現像を行うと共に、現像ローラの現像位置より回転方向上流側に対面して配した層厚規制部材に内包した回動可能なマグネットの離間接近により前記層厚規制位置への磁気シールドと解除を行うようにした電子写真用現像方法において、
前記固定磁石集成体の、前記層厚規制部材の最近接位置を挟んだ位置に現像ローラ回転方向に沿って第２の磁極と第１の磁極を配設し、前記層厚規制部材に内包したマグネットを現像ローラの最近接位置付近に回動させて、該マグネットから固定磁石集成体の第２極への拘束磁界を、又、前記マグネットと固定磁石集成体の第１極との間で反発磁界を発生させて、前記固定磁石集成体の第２極と第１極間の磁力線を遮断する磁気シールド位置を設定し、
像担持体への現像終了後、前記層厚規制部材に内包したマグネットを前記磁気シールド位置に回動したのち適時サイクル毎に現像ローラを数回回転させ、現像ローラの層厚規制位置より上流側に堆積した現像剤で現像ローラを摺擦してから回転停止することを特徴とする。
【００１５】
また、この方法発明を実施するための装置である請求項４に記載した発明は、
現像ギャップを挟んで像担持体に対面配置し、内包した固定磁石集成体の磁気力を利用して現像位置に現像剤搬送を行う現像ローラと、該現像ローラを回転駆動する現像ローラ駆動部と、前記現像ローラの回転方向上流側に対面して配した層厚規制部材と、該層厚規制部材に内包し、前記層厚規制位置への磁気シールドと解除をおこなうマグネットとを持つ電子写真用現像装置において、
前記固定磁石集成体の、前記層厚規制部材の最近接位置を挟んだ位置に現像ローラ回転方向に沿って第２の磁極と第１の磁極を配設し、前記層厚規制部材に内包したマグネットを現像ローラの最近接位置付近に回動させて、該マグネットから固定磁石集成体の第２極への拘束磁界を、又、前記マグネットと固定磁石集成体の第１極との間で反発磁界を発生させて、前記固定磁石集成体の第２極と第１極間の磁力線を遮断する磁気シールド位置を設定し
像担持体への現像終了後、前記層厚規制部材に内包したマグネットを前記磁気シールド位置に回動したのち適時サイクル毎に現像ローラを数回回転させ、現像ローラの層厚規制位置より上流側に堆積した現像剤で現像ローラを摺擦してから回転停止するよう現像ローラ駆動部を制御する制御部を備えたことを特徴とする。
【００１６】
このように現像ローラの層厚規制位置を磁気シールド後、適時サイクル毎に数回回転させたあとで停止させることにより、現像ローラ上のトナーの層厚が厚くなって電気的に絶縁され、現像ローラの表面に正規の現像バイアスが印加されないという現象が防止できる。また、連続回転し続けるとトナーとキャリアの間にイレギュラーな帯電を発生させたり、現像ローラの回転による摩擦力で、現像剤が漏れてくるが、数回に限定しているので、イレギュラーな帯電や、摩擦力による現像剤の漏れも防止できる。
【００１７】
またこのように、現像ローラを磁気シールド後数回回転させた後停止させる動作を毎回行うのではなく、特定印字回数毎に行うようにしても良く、そのための方法発明である請求項２、及びその装置である請求項５に記載した発明は、
前記適時サイクルが、特定現像回数毎であること及び、
現像回数計数部を備え、前記適時サイクルが、現像回数計数部の計数した特定現像回数毎であることを特徴とする。
【００１８】
このようにすることで、たとえ数回の回転といえども現像ローラが回転を続けることでトナーとキャリアの間にイレギュラーな帯電を発生させてかぶりを誘発したり、現像ローラの回転による摩擦力で現像剤が漏れてくる、といったことを防止でき、また現像ローラも摺擦されて、表面に正規の現像バイアスが印加されないという現象が防止できる。
【００１９】
また同様に、現像ローラを磁気シールド後数回回転させた後停止させる動作を毎回行うのではなく、記録媒体の画像濃度を検出し、この濃度が一定以下になったときに行うようにしても良く、そのための方法発明である請求項３、及びその装置である請求項６に記載した発明は、
前記適時サイクルが、画像濃度が特定濃度になったときであること及び、
手動または自動で画像濃度を検出する画像濃度検出部を備え、前記適時サイクルが、画像濃度検出部で特定濃度を検出した時であることを特徴とする。
【００２０】
このようにすることで、たとえ数回の回転といえども現像ローラが回転を続けることでトナーとキャリアの間にイレギュラーな帯電を発生させてかぶりを誘発したり、現像ローラの回転による摩擦力で現像剤が漏れてくる、といったことを防止でき、また現像ローラも摺擦されて、表面に正規の現像バイアスが印加されないという現象が防止できる。
【００２１】
【発明の実施の形態】
以下、本発明の実施の形態を例示的に詳しく説明する。但しこの実施の形態に記載されている構成部品の寸法、材質、形状、その相対配置などは特に特定的な記載がない限りは、この発明の範囲をそれのみに限定する趣旨ではなく単なる説明例に過ぎない。
【００２２】
最初に本発明の概略を説明すると、前記したように、固定磁石集成体を内部に有した現像ローラの現像位置より上流側にマグネットを有した層厚規制部材を配し、マグネットの離間接近によって層厚規制位置への磁気シールドと解除を行うようにした電子写真用現像方法及び装置において、マグネットを磁気シールド位置に位置させたあと磁気シールド状態のまま現像ローラを数回回転させ、現像ローラの層厚規制位置より上流側に堆積したトナーで現像ローラを摺擦、クリーニング後停止する摺擦動作を行わせるようにした。
【００２３】
このようにすることで現像ローラ上のトナーはクリーニングされ、トナーの層厚が厚くなるのが防止できると共に、現像ローラは数回回転後に停止するから、トナーとキャリアの間にイレギュラーな帯電を発生させることもなく、また、現像ローラの回転による摩擦力で現像剤が漏れてくる、といったことも防止できる。
【００２４】
以下図面に従って本発明を説明する。図１は本発明の電子写真用現像装置の制御ブロック図であり、図２は電子写真用現像方法のタイムチャートである。図１において３０は前記現像ローラ２１の駆動部、３１は層厚規制部材２２に内包したマグネット２３を離間接近させる離間接近駆動部、３２は現像バイアス電源、３３は制御部、３４は電子写真装置の現像回数の計数部で、これは記録媒体８の排出枚数の表示などに用いられるものでもよい。３５は図３における定着器１４の排出側近傍に設けた記録媒体上の画像濃度を検出する画像濃度検出部、３６は印字開始と終了の信号である。
【００２５】
今、前記図４の（Ａ）に示したように現像が行われている場合は、マグネット２３が図４（Ａ）のように固定磁石集成体２０の磁力に影響を与えない位置で停止しており、制御部３３は現像ローラ駆動部３０で現像ローラ２１を回転させ、固定磁石集成体２０の磁力を利用して現像ローラ２１上に担持させた現像剤２４を層厚規制部材２２の周面と接触させて層厚規制した後、現像位置Ａへと運んで像担持体１の潜像を現像する。
【００２６】
このような現像状態から、図２（ａ）に示すように画像の後端が現像位置Ａを通過して信号線３６に現像終了の信号が来ると、制御部３３はマグネット離間接近駆動部３１に信号を送り、図４（Ｂ）のようにマグネット２３を現像ローラ２１の最近接点付近に移動させる。すると、図２（ｂ）に示すように、マグネット２３と固定磁石集成体２０の第１極とで形成される反発磁界による磁気シールドで、現像剤２４は現像ローラ２１上の像担持体１側に行かなくなり穂切りがおこなわれる。
【００２７】
そのため現像ローラ２１上の現像位置Ａ側の現像剤は、現像ローラ２１の回転により現像ユニット４内に回収される。また、マグネット２３のＳ極から固定磁石集成体２０の第２極への吸引磁界が同時に生じており、マグネット２３と現像ローラ２１の最近接位置より内側の現像剤は、この両極の間で拘束される。そしてこのようにシールド磁力と拘束磁力が固定磁石集成体２０の第２極と第１極間の磁力線を遮断するので磁力線が通らず、現像剤は現像ローラ２１上を搬送されることなく図４（Ｃ）の状態で止まる。
【００２８】
すると制御部３３は、現像バイアス電源３２に信号を送って図２（ｃ）に示すようにこれをＯＦＦさせ、その後現像ローラ駆動部３０に指示して現像ローラ２１を数回回転させたのち、図２（ｄ）のように停止させる。そのため現像ローラ２１は、この回転の間に層厚規制位置より回転方向上流側に堆積した現像剤２４で摺擦され、現像ローラ２１上に残ったトナーはクリーニングされる。
【００２９】
このように画像後端の現像終了後、磁気シールドを行なって現像ローラ２１による現像剤担持を停止し、現像バイアスをＯＦＦした後現像ローラ２１を数回回転させて停止するクリーニング動作を行わせることにより、現像ローラ２１上のトナーは現像剤２４でクリーニングされ、トナーの層厚が厚くなるのが防止できると共に、トナーとキャリアの間にイレギュラーな帯電を発生させたり、現像ローラ２１の回転による摩擦力で現像剤が漏れてくる、といったことも防止できる。
【００３０】
なお、以上説明してきたクリーニング動作は、単に現像終了時に行うとのみ説明したが、これは毎回行っても適時サイクルで行うようにしても良い。すなわち、現像ローラ２１上のトナーの残留量は原稿によって異なり、例えば絵柄に黒部分が多いと現像ローラ２１上のトナーはそのほとんどが像担持体１の方に移動し、逆に白部分が多ければほとんどが現像ローラ２１上に残る。そのため、以上説明してきたクリーニング動作を特定現像回数毎に行ったり、記録媒体上の画像濃度を検出し、画像濃度が特定濃度になったら行うようにしても良い。
【００３１】
まず、特定枚数毎にこのクリーニング動作を行う場合を説明する。図１の現像回数計数部３４は、像担持体１の現像回数を計数し、それを制御部３３に伝える。この現像回数が特定枚数に達するまでは、図２（ａ）のように画像の後端の現像が終了し、図４（Ｂ）のようにマグネット２３が磁気シールド位置に位置して現像ローラ２１上への現像剤担持を停止すると、図２（ｃ）のように現像バイアスがＯＦＦされ、現像ローラ２１の回転を停止するよう制御部３３は現像ローラ駆動部３０に指示する。
【００３２】
そして、図１の現像回数計数部３４の計数結果があらかじめ定めた特定枚数に達すると、制御部３３は図２（ａ）のように画像の後端の現像終了信号３６が来たとき、マグネット離間接近駆動部３１に指示してマグネット２３を図４（Ｂ）のように磁気シールド位置に位置させ、現像ローラ２１上への現像剤担持を停止する。そして現像バイアス電源３２に指示して図２（ｃ）のように現像バイアスをＯＦＦし、前記したように現像ローラ２１を数回回転させて現像ローラ２１上のトナーを現像剤２４で摺擦するクリーニング動作を行わせ、トナーの層厚が厚くなるのを防止する。
【００３３】
このようにすると、たとえ数回の回転といえども、現像ローラ２１が回転を続けることでトナーとキャリアの間にイレギュラーな帯電を発生させてかぶりを誘発したり、現像ローラの回転による摩擦力で現像剤が漏れてくる、といったことを防止できる。
【００３４】
次に、記録媒体上の画像濃度を検出し、それが特定濃度になったら前記クリーニング動作を行う場合であるが、現像が終了して層厚規制位置への磁気シールドがおこなわれ、現像バイアスをＯＦＦした直後に現像ローラ２１の回転を停止させる動作を繰り返すと、現像ローラ２１上のトナーの層厚が厚くなって電気的に絶縁され、現像ローラ２１の表面に正規の現像バイアスが印加されず、記録媒体８の画像濃度が低下する現象が生じる。
【００３５】
そのため、図３の定着器１４の排出側近傍に設けた画像濃度検出部３５（図１）で記録媒体８の画像濃度を検出し、この濃度が一定以下になったとき、制御部３３が前記したような制御を行うようにする。
【００３６】
この場合、クリーニング動作を行わないサイクルの場合は前記したように、図２（ａ）のように画像の後端の現像が終了し、図４（Ｂ）のようにマグネット２３が磁気シールド位置に位置して現像ローラ２１上への現像剤担持を停止すると、図２（ｃ）のように現像バイアスがＯＦＦされ、現像ローラ２１の回転を停止するよう制御部３３は現像ローラ駆動部３０に指示する。
【００３７】
そして、図１の画像濃度検出部３５が特定濃度を検出すると、その結果が制御部３３に伝えられ、制御部３３は図２（ａ）のように画像の後端の現像終了信号３６が来たとき、マグネット離間接近駆動部３１に指示してマグネット２３を図４（Ｂ）のように磁気シールド位置に位置させ、現像ローラ２１上への現像剤担持を停止する。そして現像バイアス電源３２に指示して図２（ｃ）のように現像バイアスをＯＦＦし、前記したように現像ローラ２１を数回回転させて現像ローラ２１上のトナーを現像剤２４で摺擦するクリーニング動作を行わせたのち回転停止し、トナーの層厚が厚くなるのを防止する。
【００３８】
このようにすると、たとえ数回の回転といえども、現像ローラ２１が回転を続けることでトナーとキャリアの間にイレギュラーな帯電を発生させてかぶりを誘発したり、現像ローラ２１の回転による摩擦力で現像剤が漏れてくる、といったことを防止できる。
【００３９】
なお以上の説明では、画像濃度検出部３５は自動で記録媒体上の画像濃度を検出するよう説明したが、これは手動で検出し、検出結果を制御部３３に伝えるようにしても良い。また、層厚規制部材２２も説明図では円筒形とし、扇形マグネット２３を回動させる形式のものを示したが、マグネットを円柱や角柱とし、層厚規制部材２２を箱形としてマグネットをアクチュエータなどで現像ローラ２１に離間接近させ、それによって磁気シールド、解除を行うようにしても良い。
【００４０】
【発明の効果】
以上種々述べてきたように請求項１、及び４記載の発明によれば、現像ローラの層厚規制位置への磁気シールド後、適時サイクル毎に現像ローラを数回回転させたあとで停止させることにより、現像ローラ上のトナーの層厚が厚くなって電気的に絶縁され、現像ローラの表面に正規の現像バイアスが印加されないという現象が防止でき、またトナーとキャリアの間にイレギュラーな帯電を発生させたり、現像ローラの回転による摩擦力で、現像剤が漏れてくるといったことをも防止できる。そのため記録媒体上の画像を常に最適な状態に保つことができる。
【００４１】
また、請求項２、３、５、６に記載した発明によれば、たとえ数回の回転といえども現像ローラが回転を続けることでトナーとキャリアの間にイレギュラーな帯電を発生させてかぶりを誘発したり、現像ローラの回転による摩擦力で現像剤が漏れてくるといったことや、表面に正規の現像バイアスが印加されないという現象などを防止でき、記録媒体上の画像を常に最適な状態に保つことができる。
【図面の簡単な説明】
【図１】  本発明の要部構成を説明するための制御ブロック図である。
【図２】  本発明の動作を説明するためのタイムチャートである。
【図３】  像担持体の周りに配した複数の現像ユニットを切り替えて現像を行うようにした電子写真装置の断面図である。
【図４】  像担持体の現像位置近傍における１つの現像ユニットの断面図である。
【符号の説明】
２０    固定磁石集成体
２０ａ  取り付け軸
２１    現像ローラ
２２    層厚規制部材
２３    マグネット
２３ａ  中心軸
３０    現像ローラ駆動部
３１    マグネット離間接近駆動部
３２    現像バイアス電源
３３    制御部
３４    現像回数計数部
３５    画像濃度検出部
３６    印字開始、終了信号
【図１】
0003781341.tif 000002
【図２】
0003781341.tif 000003
【図３】
0003781341.tif 000004
【図４】
0003781341.tif 000005